(57)【特許請求の範囲】
【請求項１】
コンプレッサ（１２）と、ガス冷却器（１４）と、膨張装置（１６）と蒸発器（１８）を備え、これらが、冷媒を含む循環系内で互いに接続されている圧縮冷却装置において、
冷媒の充填度ｆが冷媒の臨界密度の５０〜１００％であることを特徴とする圧縮冷却装置。
【請求項２】
冷媒が二酸化炭素により構成されることを特徴とする、請求項１に記載の圧縮冷却装置。
【請求項３】
二酸化炭素冷媒の充填度ｆが、０．２５〜０．４５ｋｇ／リットルであることを特徴とする、請求項２に記載の圧縮冷却装置。
【請求項４】
装置が超臨界的に構成されていることを特徴とする、請求項１乃至３のいずれかに記載の圧縮冷却装置。
【請求項５】
第１熱交換器管（３０）と、これと熱工学的に連結された第２熱交換器管（３２）とを備えた中間熱交換器（２８）が設けられ、第１熱交換器管（３０）がガス冷却器（１４）および膨張装置（１６）に接続され、第２熱交換器管（３２）が蒸発器（１８）およびコンプレッサ（１２）に接続されていることを特徴とする、請求項１乃至４のいずれかに記載の圧縮冷却装置。
【発明の詳細な説明】
技術分野
本発明は、コンプレッサ、ガス冷却器、膨張装置、及び蒸発器を備え、これらが冷媒を含む循環系内で互いに接続されている圧縮冷却装置に関する。
このような圧縮冷却装置は、例えば、ＷＯ９０／０７６８３から公知である。この公知装置は超臨界装置として構成されている。即ち、装置は超臨界的に設計されている。冷媒として二酸化炭素が用いられる。
初めに述べた種類の圧縮冷却装置は、ＷＯ９４／１４０１６からも公知である。この公知装置も、二酸化炭素を冷媒として超臨界的に作動する。
これら公知の超臨界性圧縮冷却装置で、最高の冷却出力価を達成するためには高圧側の冷媒圧を比較的狭い限界内に正確に調節する。これは、上記のＷＯ９４／１４０１６によれば、装置の全容積に対する冷媒の充填率として定義される冷媒充填度を、装置内で０．５５〜０．７０ｋｇ／リットル、好ましくは０．６０ｋｇ／リットルに調節することにより達成される。冷媒としての二酸化炭素の臨界密度は４６６ｇ／リットルである。即ち、この公知装置では、冷媒の充填度は臨界密度の１２０〜１５０％、好ましくは１３０％である。充填度がこのような範囲にある結果として、ＷＯ９４／１４０１６により公知の超臨界性装置では冷却出力価が最大となる。装置使用環境下での、様々な平均外部温度で、冷却のこのような高い充填度を最適に維持できるように、この特許は圧縮冷却装置に追加的冷媒貯蔵部を設けることを提案している。この場合、例えば高温環境での静止時に、装置の低圧側で一定の静圧を超えると、過剰な二酸化炭素を貯蔵部が引取る。例えば、６０℃で、つまり、日の当たる場所にある自動車内、または高温のエンジン室で、充填度ｆ＝０．６０ｋｇ／リットルのときの静圧は１５５バールである。
本発明の課題は、構成が比較的簡単であり、比較的広い外部温度範囲で問題なく使用でき、装置の冷却出力価が、これによって大きい影響を受けないような、上記種類の圧縮冷却装置を提供することである。
発明の開示
この課題は、初めに述べたような種類の圧縮冷却装置では、本発明によれば、冷媒の充填度を冷媒の臨界密度の５０〜１００％とすることによって達成される。本発明による装置の静圧は、例えば６０℃で充填度ｆ＝０．３ｋｇ／リットルのとき、わずか１０５バールであり、これは初めに述べたような公知装置の充填度の約２／３である。即ち、圧力が低いため、圧縮軸のパッキン等が受ける応力が小さく、従って簡単に寸法を決定することができる。冷媒としては二酸化炭素を用いることが好ましい。二酸化炭素は工業生産のいわば廃棄物として得られ、従って極めて低費用で入手できる。二酸化炭素はそれ自体、冷媒として１９世紀から２０世紀への移行時以降既に知られていた。
本発明による装置では、二酸化炭素冷媒の充填度は、できれば循環工程装置の全容積（リットル）につき、二酸化炭素０．２５〜０．４５ｋｇであることが好ましい。この場合、充填度は本発明による装置が使用される環境での平均外部温度に応じて調節することができる。つまり、充填度は外部温度または周囲温度が上昇すれば高い値に選ぶことができる。
本発明による圧縮冷却装置は超臨界的に構成されていることが好ましい。勿論、本発明による圧縮冷却装置は臨界値以下でも作動できる。
【図面の簡単な説明】
本発明のその他の詳細、特徴および長所は、概略図に示された本発明による圧縮冷却装置の実施の形態についての以下の説明により明らかとなる。
図１  圧縮冷却装置の、第１の実施の形態の回路構成図である。
図２  図１の装置の冷却出力値εと高圧側での圧力の関係を示す図である。
図３  例として、最初に述べたＷＯ９４／１４０１６により公知の圧縮冷却装置と本発明による装置を比較した、冷媒充填度ｆとガス冷却器出口の冷媒出口温度ｔausとの関数関係を示す図である。
図４  中間熱交換器を備えた圧縮冷却装置の第２の実施の形態の、図１と同様の回路構成図である。
好適な実施の形態の詳細な説明
図１は、コンプレッサ１２と、コンプレッサ１２に接続されたガス冷却器１４または液化装置と、ガス冷却器に接続された膨張装置１６と蒸発器１８を備えた圧縮冷却装置１０の構成を示す概略回路図である。コンプレッサ１２とガス冷却器１４と膨張装置１６と蒸発器１８は、循環系内で互いに接続されている。循環系には冷媒が含まれ、冷媒は二酸化炭素であることが好ましい。
図２は、装置１０の冷却出力価εと、コンプレッサ１２上、又はコンプレッサ１２に接続されたガス冷却器１４の入力側での高圧側圧力ｐとの関数関係を示す図である。これは図１では上記圧力のための符号ｐと共に矢印２０で示してある。図２から、冷却出力価εは、一定の圧力ｐ0のときに最大値εmaxとなることが分かる。これは一定の冷媒充填度ｆによって達成され、この値は上に述べたように、ＷＯ９４／１４０１６によれば０．５５〜０．７０ｋｇ／リットルであり、好ましくは０．６０ｋｇ／リットルである。しかし、図２によれば冷却出力価εは圧力ｐがｐ0より大きいときも最大値εmaxをそれほど下回ることはない。本発明はこれを利用している。本発明によれば、充填度ｆとして上に述べたよりもずっと小さい値を選ぶ。これは図３により示されており、この図では充填度ｆがガス冷却器出口温度ｔaus上に表されている。ガス冷却器出口温度の測定箇所は図１では符号ｔausをつけた矢印２１により表されているが、通常は周囲温度よりも５〜１５Ｋ高く、コンプレッサ回転数に依存する。図３から明らかなように本発明による装置１０（図１を参照）の冷媒充填度ｆは０．２５〜０．４５ｋｇ（ＣＯ2）／リットル（装置１０の全容積）の範囲内にある。この本発明による充填度の範囲は、図３では斜線部分２２として表されている。図３には、このほかにＷＯ９４／１４０１６に開示されている圧縮冷却装置による充填度範囲が示されている。この最後に述べた充填度範囲は直交斜線部分２４として示されている。この２つの充填度範囲２２と２４には互いに共通部分がないことは明らかである。このほか、図３では線２６により、最適充填度ｆまたは充填度ｆの帯域幅に換算した最適高圧ｐの関数関係ｆ（ｔaus）を示している。線２６は、臨界温度３１℃の上での線２６の動きがきわめて平坦であることを表している。さらに、２本の破線で囲まれた帯域幅２７は最大で５％の冷却出力価の低下を示すが、これは温度ｔausの上昇とともに増大する。その他の設計点では最適高圧と充填度について、きわめて類似した曲線が得られる。装置１０の容積を分割すると、充填度の変化レベルがそれに応じて動くが勾配は類似している。圧力管および吸引管の容積によって最適充填度は低下する。最適充填度が０．２５ｋｇ／リットル以下となる可能性はきわめて低い。図４に概略図で示したような、内部熱交換器、つまり中間熱交換器２８を、高圧側の事後冷却用に、また低圧側の過剰冷却用に設けると最適充填度は高くなる。ガス冷却器１４の容積を増加した場合にも同じ効果が得られる。最適充填度が０．４５ｋｇ／リットルを越える可能性はきわめて低い。
充填度の動きから見て、超臨界的冷却工程は、充填度が一定の場合、比較的わずかなエネルギー喪失で実施できることが分かる。臨界下温度では、つまり高圧側での液化を伴った正常な低温蒸気工程では、最適充填度の傾斜は急であり、これに応じて許容範囲は、図３で明らかなように非常に狭くなる。これを補整するために、初めに述べたような従来型の低温蒸気圧縮冷却装置では、受容器（収集器）を設けている。
図４は、コンプレッサ１２、コンプレッサに接続したガス冷却器１４、中間熱交換器２８、膨張装置１６、及び蒸発器１８を備えた圧縮冷却装置１０の概略回路構成図である。中間熱交換器２８は、第１熱交換器管３０と第２熱交換器管３２を備えていて、これらは互いに熱工学的に連結されている。第１熱交換器管３０は、ガス冷却器１４と膨張装置１６の間に接続されている。第２熱交換器管３２は蒸発器１８とコンプレッサ１２の間に接続されている。
【図１】
0003665346.tif 000002
【図２】
0003665346.tif 000003
【図３】
0003665346.tif 000004
【図４】
0003665346.tif 000005